(57)【要約】【課題】  小型で且つ簡易な構成のシャッター装置を提供する。【解決手段】  本発明のシャッター装置１は、ベースプレート３に軸着されたシャッター羽根５、５が軸１３を中心として回動することによりカメラ開口９を開閉する。各シャッター羽根５、５には磁石２３又は電磁コイル１５のいずれか一方の部材がシャッター羽根５、５の回動方向に沿って設けてあり、ベースプレート３には磁石２３又は電磁コイル１５のいずれか一方の部材に対向して他方の部材が設けてあり、電磁コイル１５へ通電することにより、シャッター羽根５、５が磁力により軸１３の回りを回動してカメラ開口９を開閉する。【選択図】      図１
2006258832.tif 000002
【特許請求の範囲】
【請求項１】
ベースプレートに軸着されたシャッター羽根が軸を中心として回動することによりカメラの開口を開閉するシャッター装置であって、シャッター羽根には磁石又は電磁コイルのいずれか一方の部材がシャッター羽根の回動方向に沿って設けてあり、ベースプレートには前記一方の部材に対向して他方の部材が設けてあり、電磁コイルへ通電することにより、シャッター羽根が磁力により軸回りを回動してカメラ開口を開閉することを特徴とするシャッター装置。
【請求項２】
シャッター羽根は一端部側にカメラ開口を開閉する遮蔽部が設けてあり、他端部側に前記一方の部材が設けてあることを特徴とする請求項１に記載のシャッター装置。
【請求項３】
シャッター羽根は対向して２つ設けてあり、カメラ開口の閉位置では２枚のシャッター羽根が重なる位置にあり、カメラ開口の閉位置における各シャッター羽根の遮蔽部と軸との間にはシャッター羽根の閉位置を規制する閉位置規制部材がシャッター羽根の移動軌跡上に設けてあり、各シャッター羽根には閉位置規制部材に係合する係合溝を軸回り沿って形成してあることを特徴とする請求項２に記載のシャッター装置。
【請求項４】
シャッター羽根の他端部側には、２枚のシャッター羽根がカメラ開口を絞る位置を規制する絞り位置規制部材が設けてあり、絞り位置規制部材はシャッター羽根の他端の回動軌跡上に出没自在に設けてあり、カメラ開口を絞るときには絞り位置規制部材がシャッター羽根の回動軌跡上に突出してシャッター羽根に当接することを特徴とする請求項３に記載のシャッター装置。
【請求項５】
請求項１〜４のいずれか一項に記載のシャッター装置を備えることを特徴とするデジタルカメラ。
【発明の詳細な説明】
【技術分野】
【０００１】
本発明は、カメラの開口を開閉するシャッター装置及びそのシャッター装置を搭載したデジタルカメラに関する。
【背景技術】
【０００２】
特許文献１には、シャッター羽根を軸着して回動自在に設けると共に、回転軸を有するモータ（以下「回転軸モータ」という）の回転軸とシャッター羽根とをリンク機構で連結して、シャッター羽根がカメラの開口（カメラ開口）を開閉することが開示されている。
【０００３】
【特許文献１】特開２００４−２１４８４７号公報
【発明の開示】
【発明が解決しようとする課題】
【０００４】
しかし、特許文献１の技術では、回転軸モータを用いているので、モータの設置スペースが必要になり、シャッター装置が大型になるという問題がある。
【０００５】
また、回転軸モータの軸の回転をシャッター羽根の回動運動に変換するリンク機構を設けているので、構成が複雑になるという問題がある。
【０００６】
一方、デジタルカメラや携帯電話に搭載される小型カメラでは、カメラの小型化が要求されていると共に、近年においては絞り機能を備えるシャッター装置の要求がある。
【０００７】
本発明は、前記事情に着目してなされたものであり、小型で且つ簡易な構成のシャッター装置を提供することを目的とする。
【課題を解決するための手段】
【０００８】
請求項１に記載の発明は、ベースプレートに軸着されたシャッター羽根が軸を中心として回動することによりカメラの開口を開閉するシャッター装置であって、シャッター羽根には磁石又は電磁コイルのいずれか一方の部材がシャッター羽根の回動方向に沿って設けてあり、ベースプレートには前記一方の部材に対向して他方の部材が設けてあり、電磁コイルへ通電することにより、シャッター羽根が磁力により軸回りを回動してカメラ開口を開閉することを特徴とする。
【０００９】
請求項２に記載の発明は、請求項１に記載の発明において、シャッター羽根は一端部側にカメラ開口を開閉する遮蔽部が設けてあり、他端部側に前記一方の部材が設けてあることを特徴とする。
【００１０】
請求項３に記載の発明は、請求項２に記載の発明において、シャッター羽根は対向して２つ設けてあり、カメラ開口の閉位置では２枚のシャッター羽根が重なる位置にあり、カメラ開口の閉位置における各シャッター羽根の遮蔽部と軸との間にはシャッター羽根の閉位置を規制する閉位置規制部材がシャッター羽根の移動軌跡上に設けてあり、各シャッター羽根には閉位置規制部材に係合する係合溝を軸回りに沿って形成してあることを特徴とする。
【００１１】
請求項４に記載の発明は、請求項３に記載の発明において、シャッター羽根の他端部側には、２枚のシャッター羽根がカメラ開口を絞る位置を規制する絞り位置規制部材が設けてあり、絞り位置規制部材はシャッター羽根の他端の回動軌跡上に出没自在に設けてあり、カメラ開口を絞るときには絞り位置規制部材がシャッター羽根の回動軌跡上に突出してシャッター羽根に当接することを特徴とする。
【００１２】
請求項５に記載の発明は、請求項１〜４のいずれか一項に記載のシャッター装置を備えることを特徴とするデジタルカメラである。
【発明の効果】
【００１３】
請求項１に記載の発明によれば、シャッター羽根に磁石又は電磁コイルのいずれか一方の部材をシャッター羽根の回動方向に沿って設け、ベースプレートに他方の部材を対向配置して設けてあり、シャッター羽根の回動方向に沿っていわゆるリニアモータを構成しているので、電磁コイルへ通電すると、シャッター羽根は軸回りに回動して、カメラの開口を開閉する。
【００１４】
したがって、本発明によれば、回転軸モータを用いず、シャッター羽根とベースプレートとが直接リニアモータを構成しているので、従来のような回転軸モータの設置スペースを必要とせず、シャッター装置の小型化、特に薄肉化を図ることができる。
【００１５】
シャッター羽根とベースプレートとの間に磁石と電磁コイルとを対向配置するだけであり、運動を変換するためのリンク機構を必要としないので、構成が簡易であると共に製造コストを安価にできる。
【００１６】
請求項２に記載の発明によれば、請求項１に記載の発明と同様の作用効果を得ることができると共に、シャッター羽根には、軸を中心とした一方側に遮蔽部が設けてあり、他方側に磁石又は電磁コイルが設けてあるので、磁石や電磁コイルを一側に集約でき、コンパクトな構成にできる。
【００１７】
請求項３に記載の発明によれば、請求項２に記載の発明と同様の作用効果を得ることができると共に、シャッター羽根の位置規制を係合部材と係合溝とで行うことができ、複雑な制御機構を必要としないから、構成が簡易である。
【００１８】
また、２枚のシャッター羽根に対して、一つの閉位置規制部材を共通して用いることができ、更に構成が簡易である。
【００１９】
請求項４に記載の発明によれば、請求項３に記載の発明と同様の作用効果を得ることができると共に、シャッター羽根がカメラ開口を開閉するほか絞り機能も併せて持つことができる。
【００２０】
シャッター羽根の絞り位置は、シャッター羽根と絞り位置規制部材との当接により規制することができ、複雑な制御機構を必要としないから、構成が簡易である。
【００２１】
また、２枚のシャッター羽根に対して、一つの絞り位置規制部材を共通して用いることができ、更に構成が簡易である。
【００２２】
請求項５に記載の発明によれば、請求項１〜４のいずれか一項に記載の発明と同様の作用効果を得ることができるデジタルカメラを提供することができる。
【発明を実施するための最良の形態】
【００２３】
以下、添付図面を参照して、本発明の実施形態について説明する。図１は本発明の実施の形態にかかるシャッター装置であって、シャッター羽根が絞り位置にある状態において、カバー部材を外して示す平面図であり、図２は図１のシャッター装置をカバー部材が付いた状態で示すＡ―Ａ断面図であり、図３は図１のシャッター装置をカバー部材が付いた状態でＢ―Ｂ方向から見た側面図であり、図４はベースプレートの平面図であり、図５はシャッター羽根の平面図であり、図６は図１に示すシャッター装置がカメラ開口を閉じた状態を示す平面図であり、図７は図１に示すシャッター装置がカメラ開口を開いた状態を示す平面図である。
【００２４】
本実施の形態にかかるシャッター装置１は、例えば、カメラ付き携帯電話に組み込まれるものであり、オートフォーカスカメラのシャッター装置として用いられている。
【００２５】
シャッター装置１は、ベースプレート３と、一組のシャッター羽根５、５と、カバープレート７とを備えており、ベースプレート３にはカメラ開口９が形成されている。
【００２６】
ベースプレート３は平面視略矩形であり、一つの角部には別部材としてのコーナープレート（コーナー部材）１１が取り付けてられている。ベースプレート３にはシャッター羽根５、５を各々軸着した軸１３が設けてあり、２つのシャッター羽根５、５を軸回りに回動するようになっている。即ち、シャッター羽根５、５はそれぞれ共通の軸１３に挿通されて軸着してある。
【００２７】
シャッター装置１を構成するベースプレート３、カバープレート７、コーナープレート１１は、それぞれ所定の間隔を持って、軸１３、閉位置規制部材３３、結合ピン３４、３６により締結されている。
【００２８】
コーナープレート１１には、電磁コイル１５、１５が軸１３の周囲に円弧状に配置しされている。各電磁コイル１５は、複数個のコイルから構成されており、周方向の隣同士は磁極が逆で向かい合う羽根５の磁石２３（後述する）に対面する電磁コイル１５は対面する磁石２３と同磁極に励磁されるようになっている。
【００２９】
シャッター羽根５、５は、一端側に遮蔽部１７が設けてあり、他端側に作動部１９が設けてあり、作動部１９側に軸１３が挿通される軸孔２１が形成されている。軸孔２１の周囲には、磁石２３が円弧状に配置されている。磁石２３は、表面（ベースプレート側面）と裏面（シャッター羽根側面）とにＮ極とＳ極としてあり、コーナープレート３に設けた電磁コイル１５と対面して配置されている。
【００３０】
遮蔽部１７にはシャッター羽根５、５が互いに向き合う側に凹部２５が形成されており、凹部２５を形成することにより、遮蔽部１７、１７が互いに一部重なったときにカメラ開口９を部分的に閉じて絞りを成すようになっている。凹部２５は略三角形状にすることに限らず、円弧形状であってもよい。
【００３１】
ベースプレート３には、カメラ開口９の中心と、軸１３との間に閉位置規制部材２９が設けてあり、閉位置規制部材２９は、ベースプレート３に立設したピンである。
【００３２】
シャッター羽根５、５の各々には、閉位置規制部材９が係合する係合溝３１が形成されており、係合溝３１はシャッター羽根５、５の回動方向に沿って設けてある。この閉位置規制部材９により、シャッター羽根５、５の遮蔽部１７が重なって閉じる位置が規制されている。
【００３３】
更に、ベースプレート３には、シャッター羽根５、５が開位置にあるときにシャッター羽根５、５の遮蔽部１７の外縁に当接する開位置規制部材３３、３３が設けてある。
【００３４】
また、シャッター羽根５、５の作動部１９の端部側には、シャッター羽根の絞り位置を規制する絞り位置規制部材３５が配置されており、絞り位置規制部材３５は作動部１９の移動軌跡上に出没自在に設けてある。
【００３５】
絞り位置規制部材３５は、本実施の形態では、コーナープレート１１に配置されており、絞りを行うときに、アクチュエータの駆動により作動部１９の移動規制上に出没するようになっている。絞り位置規制部材３５は閉位置規制部材２９と軸１３とを結ぶ直線上に位置しており、各シャッター羽根５、５が絞り位置にあるときには、各シャッター羽根５、５の作動部１９が挟持するようにして当接するものである。
【００３６】
尚、カメラ開口９において、シャッター羽根５、５の裏側には、撮像素子が設けられており、カメラ開口９を通して撮像する物体の反射光を受けるようになっている。
【００３７】
次に、本実施の形態における作用、効果について説明する。本実施の形態によれば、図７に示すように、シャッター羽根５、５がカメラ開口９の開位置にあるとき、各シャッター羽根５、５の外縁が開位置規制部材３３に当接した位置にあり、カメラ開口９の左右に各シャッター羽根５、５の遮蔽部１７、１７が位置する。
【００３８】
シャッター羽根５、５が開位置にあるときに、撮影を開始するが、オートフォーカスレンズを作動させて撮影しようとしたときに、カメラでは、絞りが必要である場合には絞りを伴なう撮影を開始する。
【００３９】
そして、撮影時には、図６に示すように、開口９を一度閉じる。このとき、電磁コイル１５に通電されることにより、各シャッター羽根５の作動部１９に設けられた磁石２３と電磁コイル１５との間における磁力によりシャッター羽根５、５が軸１３周りに回動し、閉位置規制部材２９が係合溝３１に沿って相対移動することになり、シャッター羽根５、５が閉位置に到達すると、閉位置規制部材２９が係合溝３１の溝底３１ａに当接する。
【００４０】
同時に、絞り位置規制部材３５が、各シャッター羽根５、５の作動部１９が移動する軌跡上に突出する。
【００４１】
次に、電磁コイル１５、１５に閉じ動作のときと反対の電流が印加されると、各シャッター羽根５、５は開位置に向けて回動する。そして、作動部１９の端が絞り位置規制部材３５に当接した位置でシャッター羽根５、５が停止し、図１に示す絞り位置に位置する。この絞り位置では、遮蔽部１７、１７に設けた凹部２５により、開口９が半開き状態になり、開口が絞られる。
【００４２】
そして、シャッターが押されて撮影された後、シャッター羽根５、５は、図６に示す閉じ位置に一度移動した後、絞り位置規制部材３５が作動部１９の移動軌跡上からコーナープレート１１側に没して移動軌跡上から除かれた後、電磁コイル１５、１５に電流が印加されて、シャッター羽根５、５は開き方向に移動し、開き位置規制部材３３、３３に当接して、図７に示す開位置に保持される。
【００４３】
本実施の形態によれば、シャッター羽根５に磁石２３を設け、ベースプレート３に電磁コイル１５を設ける構成だけであり、従来技術のような回転軸モータを用いていないので、装置の小型化、特に薄肉化を図ることができる。
【００４４】
シャッター羽根５とベースプレート３との間に磁石２３と電磁コイル１５とを対向配置するだけであり、リンク機構を必要としないので、構成が簡易であると共に製造コストを安価にできる。
【００４５】
ベースプレート３のコーナープレート１１及びコーナープレート１１に対応したシャッター羽根５の作動部１９に、磁石２３又は電磁コイル１５が設けてあるので、磁石２３や電磁コイル１５を一側に集約でき、コンパクトな構成にできる。
【００４６】
シャッター羽根５の閉位置規制を閉位置規制部材２９と係合溝３１とで行うことができ、複雑な制御機構を必要としないから、構成が簡易である。
【００４７】
２枚のシャッター羽根５、５に対して、一つの閉位置規制部材２９を共通して用いることができ、更に構成が簡易である。
【００４８】
更に、本実施の形態によれば、シャッター羽根５、５がカメラ開口９を開閉するほか絞り機能も併せて持つことができると共に、シャッター羽根５、５の絞り位置はシャッター羽根５、５と絞り位置規制部材３５との当接により規制しているので、構成が簡易である。
【００４９】
また、２枚のシャッター羽根５、５に対して、一つの絞り位置規制部材３５を共通して用いることができ、更に構成が簡易である。
【００５０】
絞り位置規制部材３５は、シャッター羽根５、５の作動部１９の移動軌跡上に出没するだけであり、構成が簡易であると共に制御が容易である。
【００５１】
本発明は上述した実施の形態に限定されず、本発明の要旨を逸脱しない範囲で種々変形可能である。
【００５２】
絞り位置規制部材３５は、コーナープレート１１側から作動部１９の移動軌跡上に出没する構成に限らず、カバープレート７側から出没したり、作動部１９の移動軌跡の側方から移動軌跡上に出没するものであってもよい。
【００５３】
シャッター羽根５、５に電磁コイル１５を配置し、ベースプレート３に磁石を配置するものであってもよい。
【００５４】
本実施の形態にかかるシャッター装置１は、カメラ付き携帯電話に限らず、デジタルカメラ単体に搭載するものであってもよい。
【図面の簡単な説明】
【００５５】
【図１】本発明の実施の形態にかかるシャッター装置であって、シャッター羽根が絞り位置にある状態において、カバー部材を外して示す平面図である。
【図２】図１のシャッター装置をカバー部材が付いた状態で示すＡ―Ａ断面図である。
【図３】図１のシャッター装置をカバー部材が付いた状態でＢ―Ｂ方向から見た側面図でである。
【図４】ベースプレートの平面図である。
【図５】シャッター羽根の平面図である。
【図６】図１に示すシャッター装置がカメラ開口を閉じた状態を示す平面図である。
【図７】図１に示すシャッター装置がカメラ開口を開いた状態を示す平面図である。
【符号の説明】
【００５６】
１      シャッター装置
３      ベースプレート
５      シャッター羽根
９      カメラ開口
１３    軸
１５    電磁コイル
１７    遮蔽部
１９    作動部
２３    磁石
２９    閉位置規制部材
３１    係合溝
３３    開位置規制部材
３５    絞り位置規制部材
【図１】
2006258832.tif 000003
【図２】
2006258832.tif 000004
【図３】
2006258832.tif 000005
【図４】
2006258832.tif 000006
【図５】
2006258832.tif 000007
【図６】
2006258832.tif 000008
【図７】
2006258832.tif 000009